(57)【要約】【課題】駐車場利用時の登録手続きを簡単にし、駐車場利用者にとっての利便性を向上させること。【解決手段】携帯電話機１００は、駐車場管理システム１１０と連携して駐車場の利用を管理する。また、利用者情報保持部１０１は、携帯電話機１００の利用者情報を記憶する。また、パーキング情報管理部１０２は、駐車場の駐車情報を取得する。また、パーキング情報管理部１０２は、取得された駐車情報を記憶された利用者情報とともに通信部１０５に出力する。また、通信部１０５は、取得された駐車情報および利用者情報を駐車場管理システム１１０に一括送信する。【選択図】図２
2007172262.tif 000002
【特許請求の範囲】
【請求項１】
駐車場管理システムと連携し駐車場の利用の管理に使用される通信端末装置であって、
前記通信端末装置の利用者情報を記憶する記憶手段と、
前記駐車場の駐車情報を取得する取得手段と、
取得された駐車情報を記憶された利用者情報とともに前記駐車場管理システムに一括送信する送信手段と、
を有する通信端末装置。
【請求項２】
前記駐車場管理システムのネットワーク情報を保持する保持手段と、
保持されたネットワーク情報に基づいて、前記駐車場の駐車料金の割引情報を検知する検知手段と、をさらに有し、
前記送信手段は、
検知された割引情報を前記駐車場管理システムにさらに送信する、
請求項１記載の通信端末装置。
【請求項３】
前記割引情報に従って割引された駐車料金に関連する報知情報を報知する報知手段をさらに有する、
請求項２記載の通信端末装置。
【請求項４】
前記通信端末装置の位置を測位する測位手段と、
測位された位置に基づいて予測された時刻であって前記通信端末装置が前記駐車場に到着する時刻に関連する報知情報を報知する報知手段と、
をさらに有する請求項１記載の通信端末装置。
【請求項５】
前記駐車場の利用経過時間を監視する監視手段と、
監視された利用経過時間に関連する報知情報を報知する報知手段と、
をさらに有する請求項１記載の通信端末装置。
【請求項６】
駐車場の利用を通信端末装置と連携して管理する駐車場管理システムであって、
前記通信端末装置から一括送信された、前記通信端末装置の利用者情報および前記駐車場の駐車情報に応じて、前記駐車場の利用開始時間を記録するパーキングメータと、
記録された利用開始時間および前記利用者情報を一括登録するデータベースと、
を有する駐車場管理システム。
【請求項７】
通信端末装置と駐車場管理システムとの連携によって駐車場の利用を管理する駐車場管理方法であって、
前記通信端末装置において前記駐車場の駐車情報を取得する取得ステップと、
前記駐車情報を、前記通信端末装置の利用者情報とともに、前記通信端末装置から前記駐車場管理システムに一括送信する送信ステップと、
前記利用者情報および前記駐車情報に応じて、前記駐車場の利用開始時間を記録する記録ステップと、
前記利用開始時間および前記利用者情報をデータベースに一括登録する登録ステップと、
を有する駐車場管理方法。
【発明の詳細な説明】
【技術分野】
【０００１】
本発明は、通信端末装置、駐車場管理システムおよび駐車場管理方法に関し、特に、相互に連携して駐車場を管理する通信端末装置、駐車場管理システムおよび駐車場管理方法
に関する。
【背景技術】
【０００２】
従来、駐車場の利用を管理する手法として、例えば、特許文献１に記載されたものがある。この文献に記載された手法では、駐車場利用者が駐車時に駐車時間を含む駐車情報および携帯電話番号を含む利用者情報をサーバへ登録する。これにより、駐車時間の残り時間がタイマ設定時間になったことが携帯電話機を介して音声などで駐車場利用者に通知される。
【特許文献１】特開２００５−０１１２３５号公報
【発明の開示】
【発明が解決しようとする課題】
【０００３】
しかしながら、上記従来の手法では、駐車時間の残り時間がタイマ設定時間になったことの通知を受けるために、駐車時に駐車場利用者が意図的に駐車情報および利用者情報を事前に登録する必要があった。例えば、駐車場利用者がパーキングメータに所定の駐車時間の駐車料金を支払うことにより駐車情報が送信される。また、駐車場利用者が別途に携帯電話機を用いて、パーキングメータから発行された領収証に記載された電話番号に従って電話することにより、利用者情報が送信される。よって、駐車場利用時の登録手続きが煩雑であるという問題があった。
【０００４】
本発明は、かかる点に鑑みてなされたもので、駐車場利用時の登録手続きを簡単にすることができ、駐車場利用者にとっての利便性を向上させることができる通信端末装置、駐車場管理システムおよび駐車場管理方法を提供することを目的とする。
【課題を解決するための手段】
【０００５】
本発明の通信端末装置は、駐車場管理システムと連携し駐車場の利用の管理に使用される通信端末装置であって、前記通信端末装置の利用者情報を記憶する記憶手段と、前記駐車場の駐車情報を取得する取得手段と、取得された駐車情報を記憶された利用者情報とともに前記駐車場管理システムに一括送信する送信手段と、を具備する構成を採る。
【０００６】
この構成によれば、駐車情報および利用者情報が通信端末装置から駐車場管理システムに一括送信されることにより、駐車場利用時の登録手続きを簡単にし、駐車場利用者にとっての利便性を向上させることができる。
【０００７】
本発明の通信端末装置は、上記構成において、前記駐車場管理システムのネットワーク情報を保持する保持手段と、保持されたネットワーク情報に基づいて、前記駐車場の駐車料金の割引情報を検知する検知手段と、をさらに有し、前記送信手段は、検知された割引情報を前記駐車場管理システムにさらに送信する、構成を採る。また、本発明の通信端末装置は、上記構成において、前記割引情報に従って割引された駐車料金に関連する報知情報を報知する報知手段をさらに有する、構成を採る。
【０００８】
この構成によれば、駐車料金の割引情報が検知された場合に、検知された割引情報が通信端末装置から駐車管理システムに送信される。また、割引情報に従って割引された駐車料金に関連する報知情報が報知される。よって、駐車料金情報に駐車料金の割引が反映されるとともに、駐車料金の割引が反映された駐車料金の一定である時間を駐車場利用者に報知することができる。
【０００９】
本発明の通信端末装置は、上記構成において、前記通信端末装置の位置を測位する測位手段と、測位された位置に基づいて予測された時刻であって前記通信端末装置が前記駐車場に到着する時刻に関連する報知情報を報知する報知手段と、をさらに具備する構成を採る。
【００１０】
この構成によれば、通信端末装置の位置が測位され、測位された位置に基づいて予測された時刻である、通信端末装置が駐車場に到着する時刻に関連する報知情報が報知されることにより、駐車場利用者が駐車場から離れた場所にいる際に、駐車料金の一定である時間内で用事を済ませる目安を得ることができる。
【００１１】
本発明の通信端末装置は、上記構成において、前記駐車場の利用経過時間を監視する監視手段と、監視された利用経過時間に関連する報知情報を報知する報知手段と、をさらに具備する構成を採る。
【００１２】
この構成によれば、通信端末装置により駐車場の利用経過時間が監視され、監視された利用経過時間に関連する報知情報が報知されることにより、駐車場利用者が電波状態の悪い場所にいたとしても、駐車経過時間が駐車料金の一定である時間を超えることを知ることができる。
【００１３】
本発明の駐車場管理システムは、駐車場の利用を通信端末装置と連携して管理する駐車場管理システムであって、前記通信端末装置から一括送信された、前記通信端末装置の利用者情報および前記駐車場の駐車情報に応じて、前記駐車場の利用開始時間を記録するパーキングメータと、記録された利用開始時間および前記利用者情報を一括登録するデータベースと、を具備する構成を採る。
【００１４】
この構成によれば、通信端末装置から一括送信された利用者情報および駐車情報に応じて、駐車場の利用開始時間を記録し、記録された利用開始時間および受信された利用者情報を一括登録することにより、駐車場利用時の登録手続きを簡単にし、駐車場利用者にとっての利便性を向上させることができる。
【００１５】
本発明の駐車場管理方法は、通信端末装置と駐車場管理システムとの連携によって駐車場の利用を管理する駐車場管理方法であって、前記通信端末装置において前記駐車場の駐車情報を取得する取得ステップと、前記駐車情報を、前記通信端末装置の利用者情報とともに、前記通信端末装置から前記駐車場管理システムに一括送信する送信ステップと、前記利用者情報および前記駐車情報に応じて、前記駐車場の利用開始時間を記録する記録ステップと、前記利用開始時間および前記利用者情報をデータベースに一括登録する登録ステップと、を具備するようにした。
【００１６】
この方法によれば、通信端末装置で、利用者情報および駐車情報が一括送信され、駐車場管理システムで、通信端末装置から一括送信された利用者情報および駐車情報に応じて記録された利用開始時間および受信された利用者情報が一括登録されることにより、駐車場利用時の登録手続きを簡単にし、駐車場利用者にとっての利便性を向上させることができる。
【発明の効果】
【００１７】
本発明によれば、駐車場利用時の登録手続きを簡単にすることができ、駐車場利用者にとっての利便性を向上させることができる通信端末装置、駐車場管理システムおよび駐車場管理方法を提供することができる。
【発明を実施するための最良の形態】
【００１８】
以下、本発明の実施の形態について、図面を用いて詳細に説明する。
【００１９】
（実施の形態１）
図１は、本発明の実施の形態１に係る携帯電話機１００および携帯電話機１００と連携して駐車場の利用を管理する駐車場管理システム１１０を示す概略図である。駐車場管理システム１１０は、パーキングメータ１２０、データベースサーバ１３０および自動案内端末１４０を有する。
【００２０】
駐車場管理システム１１０は、特定の駐車場の利用を、駐車場利用者が携帯する携帯電話機１００と連携して管理する。駐車場管理システム１１０が管理可能な駐車場は、主に、四輪の自動車を駐車するための駐車場を含むが、自動二輪車や自転車などを駐輪するための駐輪場をさらに含んで良い。
【００２１】
パーキングメータ１２０は、駐車場利用者に課金する駐車料金をデータベースサーバ１３０と連携して勘定する装置であり、例えば駐車場敷地の駐車用スペース近傍に設置される装置である。データベースサーバ１３０は、駐車場の利用の管理のためのデータをデータベースに格納して集中管理する装置であり、例えば遠隔地に設置されるが、駐車場敷地に設置されても良い。自動案内端末１４０は、携帯電話機１００に対する案内を自動的に行う装置であり、駐車場敷地に設定されても良いし、遠隔地に設置されても良い。
【００２２】
携帯電話機１００と駐車場管理システム１１０とが連携するとき、携帯電話機１００、パーキングメータ１２０、データベースサーバ１３０および自動案内端末１４０は、相互に通信を行う。連携時の具体的な通信手順については後述する。
【００２３】
図２は、本実施の形態に係る携帯電話機１００の構成を示すブロック図である。図２に示す携帯電話機１００は、利用者情報保持部１０１、パーキング情報管理部１０２、携帯電話サービス利用状況監視部１０３、報知部１０４および通信部１０５を有する。
【００２４】
記憶手段としての利用者情報保持部１０１は、利用者情報、例えば、駐車場利用者の携帯電話番号またはメールアドレスなどを含む情報を事前に格納する。利用者情報保持部１０１は、パーキング情報管理部１０２が作動される際に、利用者情報をパーキング情報管理部１０２に出力する。また、利用者情報保持部１０１は、利用者情報を携帯電話サービス利用状況監視部１０３にも出力する。
【００２５】
取得手段としてのパーキング情報管理部１０２は、駐車場の入退場および駐車料金を管理する。パーキング情報管理部１０２は、駐車場の利用開始を駐車場管理システム１１０に通知するための情報である駐車情報を、作動される際に取得する。また、パーキング情報管理部１０２は、利用者情報保持部１０１から利用者情報を取得する。パーキング情報管理部１０２は、取得した利用者情報と駐車場の駐車情報とを通信部１０５に出力する。なお、生成される駐車情報は、あらかじめ決められた固定値を有する情報であっても良いし、例えば利用開始時間のような変動値を有する情報であっても良い。
【００２６】
また、パーキング情報管理部１０２は、通信部１０５から出力された駐車料金情報などを記憶する。パーキング情報管理部１０２は、駐車場利用者が携帯電話サービスの利用、例えば、駐車料金情報を提供する特定のウェブ（World Wide Web）サイトへのアクセスにより取得された駐車料金情報を記憶する。なお、パーキング情報管理部１０２には、予め駐車料金情報が記憶してあっても良い。
【００２７】
また、パーキング情報管理部１０２は、通信部１０５から出力されたネットワーク情報を取得し、これを携帯電話サービス利用状況監視部１０３に出力する。ここで、取得されるネットワーク情報は、データベースサーバ１３０のネットワーク情報であり、例えば、データベースサーバ１３０のＩＰ（Internet Protocol）またはＭＡＣ（Media Access Control）アドレスなどである。
【００２８】
また、パーキング情報管理部１０２は、通信部１０５から出力された制御情報を取得する。ここで、取得される制御情報は、駐車料金に割引を適応させるための情報である。
【００２９】
また、パーキング情報管理部１０２は、通信部１０５から出力された報知案内情報を取得し、これを報知部１０４に出力する。
【００３０】
保持手段および検知手段としての携帯電話サービス利用状況監視部１０３は、携帯電話機１００のサービス利用状況、例えば、非接続型ＩＣ（Integrated Circuit）カードまたは非接続型ＩＣタグを用いた電子マネーの利用、特定のウェブサイトへのアクセスおよび特定の番号に対しての通話などの携帯電話機１００で利用可能なサービスの全ての利用状況を監視する。
【００３１】
また、携帯電話サービス利用状況監視部１０３は、パーキング情報管理部１０２から出力されたデータベースサーバ１３０のネットワーク情報を取得し、これを保持する。また、携帯電話サービス利用状況監視部１０３は、利用者情報保持部１０１から利用者情報を取得する。また、携帯電話サービス利用状況監視部１０３は、携帯電話機１００のサービス利用状況の監視情報から駐車料金の割引情報を検知する。携帯電話サービス利用状況監視部１０３は、駐車料金の割引に関するサービス利用を含む駐車料金の割引情報が検知された場合、検知した割引情報および取得した利用者情報を通信部１０５に出力する。
【００３２】
報知部１０４は、パーキング情報管理部１０２から出力された報知案内情報を取得し、この情報を音声または画像などに変換し、音声または画像をスピーカまたはディスプレイなどにより出力する。これにより、報知案内情報を駐車場利用者に音声または画像で報知することができる。
【００３３】
送信手段としての通信部１０５は、例えばアンテナまたはセンサなどからなり、携帯電話機１００と駐車場管理システム１１０におけるパーキングメータ１２０、データベースサーバ１３０および自動案内端末１４０と情報の送受信を行う部分である。
【００３４】
具体的には、通信部１０５は、パーキング情報管理部１０２から出力された利用者情報と駐車場の駐車情報とを一括にパーキングメータ１２０に送信する。また、通信部１０５は、パーキングメータ１２０から送信されたデータベースサーバ１３０のネットワーク情報を受信し、これをパーキング情報管理部１０２に出力する。また、通信部１０５は、ネットワーク情報を基に通信部１０５を介してデータベースサーバ１３０にアクセスし、携帯電話サービス利用状況監視部１０３から出力された駐車料金の割引情報および利用者情報をデータベースサーバ１３０に送信する。また、通信部１０５は、データベースサーバ１３０から制御情報を受信してパーキング情報管理部１０２に出力する。また、通信部１０５は、自動案内端末１４０から報知案内情報を受信してパーキング情報管理部１０２に出力する。
【００３５】
なお、通信部１０５の通信方式については限定されず、例えば、アンテナを用いたデータ通信、非接触型ＩＣカードまたは非接触型ＩＣタグを用いたデータ通信、または赤外線通信（赤外線を利用した近距離のデータ通信）などがある。
【００３６】
また、本実施の形態に係る携帯電話機１００のパーキング情報管理部１０２および携帯電話サービス利用状況監視部１０３は、ソフトウェアとしてコンピュータに実行させるようにしても良い。すなわち、パーキング情報管理部１０２および携帯電話サービス利用状況監視部１０３を実行するプログラムを予め例えばＲＯＭ等の記録媒体に記録しておき、そのプログラムをＣＰＵ（Central Processing Unit）によって動作させることで実行することができる。
【００３７】
図３は、本実施の形態に係る駐車場利用者が駐車場を利用する際のパーキング情報管理部１０２の動作の一例を示すフロー図である。
【００３８】
まず、ステップＳ１０１でパーキング情報管理部１０２が例えば駐車場利用者の操作により作動される。パーキング情報管理部１０２は、例えば、駐車場利用者がキー（図示せず）を押すことなどにより作動され、パーキングメータ１２０と通信可能状態になる。
【００３９】
次いで、ステップ１０２で、駐車情報が取得される。例えば、駐車情報は、パーキング管理部１０２内で形成される。
【００４０】
次いで、ステップ１０３で、利用者情報保持部１０１から利用者情報が取得される。
【００４１】
次いで、ステップ１０４で、駐車情報と利用者情報とが通信部１０５に出力される。これらの情報は、通信部１０５からパーキングメータ１２０に対して、一括に、より好ましくは同時に、送信される。
【００４２】
このように、パーキング情報管理部１０２が作動される際に、駐車情報と利用者情報が一括にパーキングメータ１２０に送信される。
【００４３】
図４は、本実施の形態に係る駐車場利用者が駐車場を利用した際の携帯電話サービス利用状況監視部１０３の動作の一例を示すフロー図である。ここでは、割引情報を報告するための動作について説明する。なお、ここでは図示されていないが、携帯電話サービス利用状況監視部１０３は、携帯電話機１００のサービス利用状況の監視を常時行っている。
【００４４】
まず、ステップ２０１で、パーキング情報管理部１０２からデータベースサーバ１３０のネットワーク情報が取得され、取得されたネットワーク情報が保持される。
【００４５】
次いで、ステップ２０２で、利用者情報保持部１０１から利用者情報が取得される。
【００４６】
次いで、ステップ２０３で、割引情報の検知が行われる。
【００４７】
次いで、ステップ２０４で、割引情報が検知されたか否かが判別される。
【００４８】
この判別の結果、割引情報が検知された場合（Ｓ２０４：ＹＥＳ）、ステップ２０５で、駐車料金の割引情報および利用者情報が通信部１０５に出力される。そして、これらの情報は、通信部１０５からデータベースサーバ１３０に送信される。
【００４９】
一方、割引情報が検知されなかった場合（Ｓ２０４：ＮＯ）、割引情報および利用者情報は通信部１０５に出力されない。
【００５０】
このように、割引情報が検知された場合に、検知された割引情報がデータベースサーバ１３０に送信される。なお、ここでは、ステップＳ２０４〜Ｓ２０５の動作が駐車場利用中に一回のみ行われる場合を例にとって説明したが、ステップＳ２０４〜Ｓ２０５の動作は駐車場利用中繰り返し行われても良い。
【００５１】
以下、図５を用いて本実施の形態に係る携帯電話機１００と駐車場管理システム１１０との連携時の具体的な通信手順について説明する。
【００５２】
まず、ステップＳ３０１で、携帯電話機１００のパーキング情報管理部１０２が作動される。
【００５３】
次いで、ステップＳ３０２で、携帯電話機１００からパーキングメータ１２０に駐車情報および利用者情報が送信される。次いで、ステップＳ３０３で、パーキングメータ１２０は、携帯電話機１００から駐車情報および利用者情報を受信し、それに応じて駐車場の利用開始時間の情報を生成し記録する。また、パーキングメータ１２０は、駐車場の利用開始時間の情報と利用者情報をデータベースサーバ１３０に送信する。次いで、ステップＳ３０４で、データベースサーバ１３０は、パーキングメータ１２０から受信した駐車場の利用開始時間の情報および利用者情報をデータベースに一括登録する。このように、携帯電話機１００から駐車情報および利用者情報が送信され、データベースサーバ１３０へ利用開始時間および利用者情報が登録される。
【００５４】
次いで、ステップＳ３０５で、データベースサーバ１３０からパーキングメータ１２０にデータベースサーバ１３０のネットワーク情報が送信される。次いで、ステップＳ３０６でパーキングメータ１２０は、データベースサーバ１３０から受信したネットワーク情報を携帯電話機１００に送信する。このように、データベースサーバ１３０から携帯電話機１００へネットワーク情報が送信される。
【００５５】
次いで、ステップＳ３０７で携帯電話機１００は、駐車料金の割引情報を検知する。
【００５６】
次いで、ステップＳ３０８で、駐車料金の割引情報および利用者情報が携帯電話機１００からデータベースサーバ１３０へ送信される。
【００５７】
次いで、ステップＳ３０９でデータベースサーバ１３０は、駐車料金の割引情報および利用者情報を受信して、割引情報に従って駐車料金に割引を適用し、これに応じて制御情報を生成してこれを携帯電話機１００に送信する。
【００５８】
次いで、ステップＳ３１０でデータベースサーバ１３０は、割引適用後の駐車料金の金額に基づいて案内制御情報を生成する。そして、データベースサーバ１３０から自動案内端末１４０へ案内制御情報が送信される。案内制御情報には、駐車料金の一定である時間を表す情報が含まれる。
【００５９】
次いで、ステップＳ３１１で自動案内端末１４０は、データベースサーバ１３０から案内制御情報を受信して、これに応じて、携帯電話機１００を案内する案内情報を生成し送信する。案内情報には、案内制御情報に含まれていた、駐車料金の一定である時間を表す情報が含まれる。
【００６０】
次いで、ステップＳ３１２で、携帯電話機１００は、自動案内端末１４０から案内情報を受信して、駐車料金の割引分が反映された駐車料金の一定である時間を駐車場利用者に報知する。
【００６１】
このように、本実施の形態によれば、携帯電話機１００のパーキング情報管理部１０２が作動される際に、駐車情報と利用者情報がパーキングメータ１２０に一括に送信されることにより、駐車場利用時の登録手続きを簡単にすることができ、駐車場利用者にとっての利便性を向上させることができる
【００６２】
また、携帯電話機１００の携帯電話サービス利用状況監視部１０３により駐車料金の割引情報が検知された場合に、駐車料金の割引情報および利用者情報がデータベースサーバ１３０に送信されることにより、携帯電話機１００に保持している駐車料金情報に駐車料金の割引を反映させるとともに、駐車料金の割引が反映された駐車料金の一定である時間を駐車場利用者に報知することができる。
【００６３】
（実施の形態２）
図６は、本発明の実施の形態２に係る携帯電話機２００および携帯電話機２００と連携して駐車場の利用を管理する駐車場管理システム２１０を示す概略図である。なお、本実施の形態で説明する携帯電話機２００および携帯電話機２００と連携して駐車場の利用を管理する駐車場管理システム２１０は、実施の形態１で説明した携帯電話機１００および携帯電話機１００と連携して駐車場の利用を管理する駐車場管理システム１１０と同様の基本的構成を有する。よって、本実施の形態で説明するものと同一の構成要素には同一の参照番号を付し、その詳細な説明を省略する。
【００６４】
図６に示す駐車場管理システム２１０は、パーキングメータ２２０、データベースサーバ１３０、自動案内端末１４０および到着時間予測端末２３０を有する。
【００６５】
駐車場管理システム２１０は、特定の駐車場の利用を、駐車場利用者が携帯する携帯電話機２００と連携して管理する。駐車場管理システム２１０が管理可能な駐車場は、主に、四輪の自動車を駐車するための駐車場を含むが、自動二輪車や自転車などを駐輪するための駐輪場をさらに含んで良い。
【００６６】
パーキングメータ２２０は、駐車場利用者に課金する駐車料金をデータベースサーバ１３０と連携して勘定する装置であり、例えば駐車場敷地の駐車用スペース近傍に設置される装置である。なお、パーキングメータ２２０はパーキングメータ１２０とは異なり、駐車場の位置情報をデータベースサーバ１３０に送信する機能をさらに有する。
【００６７】
到着時間予測端末２３０は、携帯電話機２００を携帯する駐車場利用者が駐車場から離れた場所にいる場合に、駐車場利用者が駐車場に到着する時間を予測する。
【００６８】
携帯電話機２００と駐車場管理システム２１０とが連携するとき、携帯電話機２００、パーキングメータ２２０、データベースサーバ１３０、自動案内端末１４０および到着時間予測情報２３０は、相互に通信を行う。連携時の具体的な通信手順については後述する。
【００６９】
図７は、本実施の形態に係る携帯電話機２００の構成を示すブロック図である。図７に示す携帯電話機２００は、利用者情報保持部１０１、パーキング情報管理部１０２、位置情報監視部２０１、報知部１０４および通信部１０５を有する。
【００７０】
測位手段としての位置情報監視部２０１は、携帯電話機２００の位置を特定する。位置情報監視部２０１は、通信部１０５を介して携帯電話機２００の位置を特定するための情報を受信し、受信した情報を用いて携帯電話機２００の位置を特定する。また、位置情報監視部２０１は、利用者情報保持部１０１から利用者情報を取得する。また、位置情報監視部２０１は、携帯電話機２００の位置情報および利用者情報を通信部１０５に出力する。なお、位置情報監視部２０１の位置特定方法については限定されず、例えば、ＧＰＳ（Global Positioning System）等の測位方式を用いて携帯電話機２００の位置を特定しても良いし、複数の基地局間の電界強度の差分により携帯電話機２００の位置を特定しても良い。
【００７１】
図８は、本実施の形態に係る駐車場利用者が駐車場を利用した際の位置情報監視部２０１の動作の一例を示すフロー図である。
【００７２】
まず、ステップ４０１で、携帯電話機２００の位置を特定するための情報が取得され、携帯電話機２００の位置が特定される。
【００７３】
次いで、ステップ４０２で、携帯電話機２００の位置情報が取得される。
【００７４】
次いで、ステップ４０３で、利用者情報保持部１０１から利用者情報が取得される。
【００７５】
次いで、ステップ４０４で、携帯電話機２００の位置情報および利用者情報が通信部１０５に出力される。これらの情報は、通信部１０５から到着時間予測端末２３０に送信される。
【００７６】
このように、携帯電話機２００の位置を特定した携帯電話機２００の位置情報が携帯電話機２００から到着時間予測端末２３０に送信される。
【００７７】
以下、図９を用いて本実施の形態に係る携帯電話機２００と駐車場管理システム２１０との連携時の具体的な通信手順について説明する。
【００７８】
まず、ステップＳ３０１からステップＳ３０４が、図５に示した実施の形態１と同様に実行され、これにより、駐車場利用時のデータベースサーバ１３０への登録手続きが行われる。
【００７９】
また、ステップＳ５０１で携帯電話機２００は、携帯電話機２００の位置情報を取得する。
【００８０】
次いで、ステップＳ５０２で携帯電話機２００から到着時間予測端末２３０に携帯電話機２００の位置情報および利用者情報が送信される。
【００８１】
次いで、ステップＳ５０３で、パーキングメータ２２０からデータベースサーバ１３０に駐車場の位置情報が送信される。次いで、ステップＳ５０４でデータベースサーバ１３０は、パーキングメータ２２０から駐車場の位置情報を受信して、受信した駐車場の位置情報を到着時間予測端末２３０に送信する。このように、パーキングメータ２２０から到着時間予測端末２３０へ駐車場の位置情報が送信される。
【００８２】
次いで、ステップＳ５０５で、到着時間予測端末２３０により駐車場利用者の到着時間が予測される。到着時間予測端末２３０は、例えば、携帯電話機２００から得られた携帯電話機２００の位置情報とデータベースサーバ１３０から得られた駐車場の位置情報から携帯電話機２００の位置と駐車場の位置の間の距離を算出する。また、算出された距離から一般的な徒歩による駐車場までの到着時間を算出し、駐車場利用者の到着時間を予測する。なお、駐車場利用者の到着時間の算出アルゴリズムはこれに限定されない。
【００８３】
次いで、ステップＳ５０６で到着時間予測端末２３０は、算出結果で得られた到着時間がデータベースサーバ１３０に登録されている駐車料金の一定である時間を超えるときに、これに基づいて案内制御情報を生成する。そして、到着時間予測端末２３０から自動案内端末１４０へ案内制御情報が送信される。案内制御情報には、到着時間予測端末２３０により予測された到着時間がデータベースサーバ１３０に登録されている駐車料金の一定である時間を超えた旨を表す情報が含まれる。
【００８４】
次いで、ステップＳ５０７で自動案内端末１４０は、到着時間予測端末２３０から案内制御情報を受信して、これに応じて、携帯電話機２００を案内する案内情報を生成し送信する。案内情報には、案内制御情報に含まれていた、到着時間予測端末２３０により予測された到着時間がデータベースサーバ１３０に登録されている駐車料金の一定である時間を超えた旨を表す情報が含まれる。
【００８５】
次いで、ステップＳ５０８で携帯電話機２００は、自動案内端末１４０から案内情報を受信して、予測した駐車場利用者の到着時間が駐車料金の一定である時間を超えた旨を駐車場利用者に報知する。
【００８６】
このように、本実施の形態によれば、携帯電話機２００のパーキング情報管理部１０２が作動される際に、駐車情報と利用者情報がパーキングメータ２２０に一括に送信されることにより、駐車場利用時の登録手続きを簡単にすることができ、駐車場利用者にとっての利便性を向上させることができる。
【００８７】
また、携帯電話機２００の通信部１０５は、位置情報監視部２０１により特定された携帯電話機２００の位置情報を到着時間予測端末２３０に送信する。また、データベースサーバ１３０は、パーキングメータ２２０から受信した駐車場の位置情報を到着時間予測端末２３０に送信する。また、到着時間予測端末２３０は駐車場利用者の到着時間を予測して、予測した到着時間が駐車料金の一定である時間を超えるときに、その旨を駐車場利用者に報知させる。よって、駐車場利用者が駐車場から離れた場所にいる際に、駐車場利用者は駐車料金の一定である時間内で用事を済ませる目安を得ることができる。
【００８８】
（実施の形態３）
図１０は、本発明の実施の形態３に係る携帯電話機３００および携帯電話機３００と連携して駐車場の利用を管理する駐車場管理システム３１０を示す概略図である。なお、本実施の形態で説明する携帯電話機３００および携帯電話機３００と連携して駐車場の利用を管理する駐車場管理システム３１０は、実施の形態１で説明した携帯電話機１００および携帯電話機１００と連携して駐車場の利用を管理する駐車場管理システム１１０と同様の基本的構成を有する。よって、本実施の形態で説明するものと同一の構成要素には同一の参照番号を付し、その詳細な説明を省略する。
【００８９】
図１０に示す駐車場管理システム３１０は、パーキングメータ３２０およびデータベースサーバ１３０を有する。
【００９０】
駐車場管理システム３１０は、特定の駐車場の利用を、駐車場利用者が携帯する携帯電話機３００と連携して管理する。駐車場管理システム３１０が管理可能な駐車場は、主に、四輪の自動車を駐車するための駐車場を含むが、自動二輪車や自転車などを駐輪するための駐輪場をさらに含んで良い。
【００９１】
パーキングメータ３２０は、駐車場利用者に課金する駐車料金をデータベースサーバ１３０と連携して勘定する装置であり、例えば駐車場敷地の駐車用スペース近傍に設置される装置である。なお、パーキングメータ３２０はパーキングメータ１２０およびパーキングメータ２２０とは異なり、携帯電話機３００に駐車料金の一定である時間の情報を送信する。この駐車料金の一定である時間の情報は携帯電話機３００の通信部１０５により受信され、通信部１０５から駐車場利用経過時間監視部３０１に出力される。
【００９２】
携帯電話機３００と駐車場管理システム３１０とが連携するとき、携帯電話機３００、パーキングメータ３２０およびデータベースサーバ１３０は、相互に通信を行う。連携時の具体的な通信手順については後述する。
【００９３】
図１１は、本実施の形態に係る携帯電話機３００の構成を示すブロック図である。図１１に示す携帯電話機３００は、利用者情報保持部１０１、パーキング情報管理部１０２、駐車場利用経過時間監視部３０１、報知部１０４および通信部１０５を有する。
【００９４】
監視手段としての駐車場利用経過時間監視部３０１は、駐車場の利用開始時間の情報を取得する。また、駐車場利用経過時間監視部３０１は、通信部１０５から駐車料金の一定である時間の情報を取得する。駐車場利用経過時間監視部３０１は、取得した利用開始時間の情報および駐車料金の一定である時間の情報に基づいて、駐車場の利用経過時間を監視する。具体的には、駐車場利用経過時間監視部３０１は、利用経過時間の監視情報と駐車料金の一定である時間の情報とを比較して、利用経過時間が駐車料金の一定である時間を超えるときに、その旨を表す報知情報を報知部１０４に出力する。
【００９５】
図１２は、本実施の形態に係る駐車場利用者が駐車場を利用した際の駐車場利用経過時間監視部３０１の動作を示すフロー図である。
【００９６】
まず、ステップ６０１で、駐車料金の一定である時間の情報および利用開始時間の情報が取得される。
【００９７】
次いで、ステップ６０２で、所得された情報を用いて駐車場の利用経過時間が監視される。
【００９８】
次いで、ステップ６０３で、駐車場の経過時間が駐車料金の一定である時間を超えたか否かが判別される。
【００９９】
この判別の結果、駐車場の経過時間が駐車料金の一定である時間を超えたと判別された場合（Ｓ６０３：ＹＥＳ）、ステップ６０４で、駐車場利用経過時間監視部３０１から報知部１０４へ報知情報が出力され、報知部１０４により駐車場の経過時間が駐車料金の一定である時間を超えた旨が報知される。
【０１００】
一方、駐車場の経過時間が駐車料金の一定である時間を超えていないと判別された場合（Ｓ６０３：ＮＯ）、報知情報は報知部１０４に出力されない。
【０１０１】
このように、携帯電話機３００で駐車場利用経過時間が監視され、駐車場の経過時間が駐車料金の一定である時間を超えたときに、その旨が報知される。なお、ここでは、駐車場利用経過時間監視部３０１の動作が駐車場利用中に一回のみ行われる場合を例にとって説明したが、駐車場利用経過時間監視部３０１の動作が駐車場利用中に所定時間を周期として繰り返して行われても良い。
【０１０２】
以下、図１３を用いて本実施の形態に係る携帯電話機３００と駐車場管理システム３１０との連携時の具体的な通信手順について説明する。
【０１０３】
まず、ステップＳ３０１からステップＳ３０４が、図５に示した実施の形態１と同様に実行される。
【０１０４】
次いで、ステップＳ７０１でデータベースサーバ１３０は、パーキングメータ３２０に駐車料金の一定である時間の情報を送信する。次いで、ステップＳ７０２でパーキングメータ３２０は、データベースサーバ１３０から駐車料金の一定である時間の情報を受信して、受信した駐車料金の一定である時間の情報を携帯電話機３００に送信する。
【０１０５】
次いで、ステップＳ７０３で携帯電話機３００は、駐車場の利用経過時間を監視する。
【０１０６】
次いで、ステップＳ７０４で携帯電話機３００は、駐車場の利用経過時間が駐車料金の一定である時間を超えたときに、その旨を駐車場利用者に報知する。
【０１０７】
このように、本実施の形態によれば、携帯電話機３００のパーキング情報管理部１０２が作動される際に、駐車情報と利用者情報がパーキングメータ３２０に一括に送信されることにより、駐車場利用時の登録手続きを簡単にすることができ、駐車場利用者にとっての利便性を向上させることができる
【０１０８】
また、本実施の形態によれば、携帯電話機３００の内部（駐車場利用経過時間監視部３０１）で駐車場の利用経過時間を監視するため、駐車場利用者が電波状態の悪い場所にいたとしても、駐車経過時間が駐車料金の一定である時間を超えることを知ることができる。
【産業上の利用可能性】
【０１０９】
本発明の通信端末装置、駐車場管理システムおよび駐車場管理方法は、駐車場利用時の登録手続きを簡単にすることができ、駐車場利用者にとっての利便性を向上させることができる効果を有し、相互に連携して駐車場を管理する通信端末装置、駐車場管理システムおよび駐車場管理方法として有用である。
【図面の簡単な説明】
【０１１０】
【図１】本発明の実施の形態１に係る携帯電話機および携帯電話機と連携して駐車場の利用を管理する駐車場管理システムを示す概略図
【図２】本発明の実施の形態１に係る携帯電話機の構成を示すブロック図
【図３】本発明の実施の形態１に係る携帯電話機の動作の一例を示すフロー図
【図４】本発明の実施の形態１に係る携帯電話機の動作の他の例を示すフロー図
【図５】本発明の実施の形態１に係る携帯電話機および携帯電話機と連携して駐車場の利用を管理する駐車場管理システムにおける送受信手順を示すシーケンス図
【図６】本発明の実施の形態２に係る携帯電話機および携帯電話機と連携して駐車場の利用を管理する駐車場管理システムを示す概略図
【図７】本発明の実施の形態２に係る携帯電話機の構成を示すブロック図
【図８】本発明の実施の形態２に係る携帯電話機の動作の一例を示すフロー図
【図９】本発明の実施の形態２に係る携帯電話機および携帯電話機と連携して駐車場の利用を管理する駐車場管理システムにおける送受信手順を示すシーケンス図
【図１０】本発明の実施の形態３に係る携帯電話機および携帯電話機と連携して駐車場の利用を管理する駐車場管理システムを示す概略図
【図１１】本発明の実施の形態３に係る携帯電話機の構成を示すブロック図
【図１２】本発明の実施の形態３に係る携帯電話機の動作の一例を示すフロー図
【図１３】本発明の実施の形態３に係る携帯電話機および携帯電話機と連携して駐車場の利用を管理する駐車場管理システムにおける送受信手順を示すシーケンス図
【符号の説明】
【０１１１】
１００、２００、３００  携帯電話機
１０１  利用者情報保持部
１０２  パーキング情報管理部
１０３  携帯電話サービス利用状況監視部
１０４  報知部
１０５  通信部
１２０、２２０、３２０  パーキングメータ
１３０  データベースサーバ
１４０  自動案内端末
２０１  位置情報監視部
２３０  到着時間予測端末
３０１  駐車場利用経過時間監視部
【図１】
2007172262.tif 000003
【図２】
2007172262.tif 000004
【図３】
2007172262.tif 000005
【図４】
2007172262.tif 000006
【図５】
2007172262.tif 000007
【図６】
2007172262.tif 000008
【図７】
2007172262.tif 000009
【図８】
2007172262.tif 000010
【図９】
2007172262.tif 000011
【図１０】
2007172262.tif 000012
【図１１】
2007172262.tif 000013
【図１２】
2007172262.tif 000014
【図１３】
2007172262.tif 000015